(57)【要約】【課題】  マネキンの着せ換えを行うことなく、ズボン及び靴の取り替えを行え、かつ、人が身に付けた時のイメージを低減させることなく、ズボン及び靴を展示し得るディスプレイ器具を提供する。【解決手段】  マネキン30の支脚ポール部31に上下スライド固定自在に外嵌されるボス部１と、ボス部１から突出する支持杆２と、支持杆２の先端に配設されるディスプレイ部３と、を備える。また、ディスプレイ部３は、支持杆２の先端に固着された水平方向の短筒部４と、軸方向にスライド固定自在かつ軸心廻りに揺動固定自在となるように短筒部４に挿通される踵部支持杆５と、踵部支持杆５と所定の間隔を隔てて平行に配設される爪先部支持杆６と、踵部支持杆５と爪先部支持杆６とを連結する連結杆７と、を有する。若しくは、ディスプレイ部３は、上下スライド固定自在かつ軸心廻りに回転固定自在となるように支持杆２の先端の孔部に挿嵌される垂直杆８と、垂直杆８の先端に固着されたコの字状のズボン掛け部９と、を備える。【選択図】  図１
2005296061.tif 000002
【特許請求の範囲】
【請求項１】
マネキン（30）の支脚ポール部（31）に上下スライド固定自在に外嵌されるボス部（１）と、該ボス部（１）から突出する支持杆（２）と、該支持杆（２）の先端に配設されるディスプレイ部（３）と、を備え、
該ディスプレイ部（３）は、該支持杆（２）の先端に固着された水平方向の短筒部（４）と、軸方向にスライド固定自在かつ軸心廻りに揺動固定自在となるように該短筒部（４）に挿通される踵部支持杆（５）と、該踵部支持杆（５）と所定の間隔を隔てて平行に配設される爪先部支持杆（６）と、該踵部支持杆（５）と該爪先部支持杆（６）とを連結する連結杆（７）と、を有することを特徴とするディスプレイ器具。
【請求項２】
マネキン（30）の支脚ポール部（31）に上下スライド固定自在に外嵌されるボス部（１）と、該ボス部（１）から突出すると共に先端が上向きとなるＬ字状の支持杆（２）と、該支持杆（２）の先端に配設されるディスプレイ部（３）と、を備え、
該ディスプレイ部（３）は、上下スライド固定自在かつ軸心廻りに回転固定自在となるように該支持杆（２）の先端の孔部（２ｂ）に挿嵌される垂直杆（８）と、該垂直杆（８）の先端に固着されたコの字状のズボン掛け部（９）と、を備え、
該ズボン掛け部（９）は、水平方向に延びる滑り抑制杆部（10）と、該滑り抑制杆部（10）の上方に所定の間隔を隔てて平行に配設される掛杆部（11）と、を有することを特徴とするディスプレイ器具。
【請求項３】
上記滑り抑制杆部（10）の外径（Ｄ2 ）は上記掛杆部（11）の外径（Ｄ1 ）よりも小さく形成されている請求項２記載のディスプレイ器具。
【発明の詳細な説明】
【技術分野】
【０００１】
本発明は、ディスプレイ器具に係り、特にマネキン用のディスプレイ器具に関する。
【背景技術】
【０００２】
店頭で販売される衣服や靴を展示する際、店に訪れた客に人が身に付けた時のイメージを抱かせるため、人の代わりに衣服や靴をマネキンに身に付けさせるのは周知である。従来では、衣服や靴の新しい製品が入荷されると、それに対応してマネキンの着せ換えを行うために、マネキンは、ある程度、分解できるようになっていた。しかしながら、このマネキンの分解による着せ換え作業は手間のかかる作業であった。
そこで、従来、マネキンの衣服の着せ換え及び靴の着脱を容易に行い得る種々のディスプレイ構造が提案されている（例えば、特許文献１参照）。
【０００３】
特許文献１では、全身のマネキン本体と支脚ポール部を分解することなく衣服の着せ換え及び靴の着脱を行い得るディスプレイ構造が開示されている。具体的には、マネキンの腰部中央に斜め上方を向いた上端を挿入して係止固定される挿入杆の下端に、ほぼ垂直の上方に反転する第１の係止杆を連設すると共に、この第１の係止杆の上端に、ほぼ垂直の下方に反転する第２の係止杆を連設し、この第２の係止杆の下端部を支脚ポール部の上端部内に上下スライド固定自在に挿入する構造である。この構造では、ズボンをマネキンの脚部下方から挿入した際、そのズボンの腰部を、第１の係止杆と第２の係止杆との間に形成された間隙に挿入することにより、ズボンを履いた状態を自然に見せることができる。
【特許文献１】特開２００３−２６５２８６号公報
【発明の開示】
【発明が解決しようとする課題】
【０００４】
しかしながら、上記特許文献１に開示されたディスプレイ構造では、ズボン及び靴の取り替えの際、マネキンの着せ換えを行うという点に於て、従来の分解によるマネキンと同様である。これにより、マネキンを使用しないディスプレイ器具にてズボン及び靴を展示する場合と比較して、マネキンの着せ換えを行う分、ズボン及び靴の取り替え作業が煩雑となる。
また、完全に人の身体の形状を模した全身のマネキンの使用は、上半身のみのマネキンと比較して、部品コストが増大する。上服、ズボン、及び靴が上下順に並んでまとまって見えるのであれば、全身のマネキンを使用しなくても、上服、ズボン、及び靴を人が身に付けた時のイメージが十分に湧くと考えられる。
そこで、本発明は、マネキンの着せ換えを行うことなく、ズボン及び靴の取り替えを行え、かつ、人が身に付けた時のイメージを低減させることなく、ズボン及び靴を展示し得るディスプレイ器具を提供することを目的とする。
【課題を解決するための手段】
【０００５】
上記の目的を達成するために、本発明に係るディスプレイ器具は、マネキンの支脚ポール部に上下スライド固定自在に外嵌されるボス部と、該ボス部から突出する支持杆と、該支持杆の先端に配設されるディスプレイ部と、を備え、該ディスプレイ部は、該支持杆の先端に固着された水平方向の短筒部と、軸方向にスライド固定自在かつ軸心廻りに揺動固定自在となるように該短筒部に挿通される踵部支持杆と、該踵部支持杆と所定の間隔を隔てて平行に配設される爪先部支持杆と、該踵部支持杆と該爪先部支持杆とを連結する連結杆と、を有するものである。
【０００６】
また、マネキンの支脚ポール部に上下スライド固定自在に外嵌されるボス部と、該ボス部から突出すると共に先端が上向きとなるＬ字状の支持杆と、該支持杆の先端に配設されるディスプレイ部と、を備え、該ディスプレイ部は、上下スライド固定自在かつ軸心廻りに回転固定自在となるように該支持杆の先端の孔部に挿嵌される垂直杆と、該垂直杆の先端に固着されたコの字状のズボン掛け部と、を備え、該ズボン掛け部は、水平方向に延びる滑り抑制杆部と、該滑り抑制杆部の上方に所定の間隔を隔てて平行に配設される掛杆部と、を有するものである。
また、上記滑り抑制杆部の外径は上記掛杆部の外径よりも小さく形成されている。
【発明の効果】
【０００７】
本発明に係るディスプレイ器具によれば、全身のマネキンのようにズボン及び靴の着せ換えを行うことなく、ズボン及び靴の取り替えを行うことができる。
また、従来の全身のマネキンを使用する場合と比較して、人が身に付けた時のイメージを低減させることなく、ズボン及び靴を展示することができる。
また、マネキンに合わせるズボン及び靴を容易に変更することができる。
また、全身のマネキンを使用する場合と比較して、部品コストが低減されるように、ズボン用のディスプレイ器具及び靴用のディスプレイ器具を構成することができる。
【０００８】
また、上方に配設されるズボンの足首部が靴にかからないように、容易に靴の展示位置を変更することができる。
また、爪先部支持杆を踵部支持杆の軸心廻りに揺動させて、種々の靴の展示を容易に行うことができる。
また、ズボンがズボン掛け部から滑り落ちるのを抑制することができる。
また、滑り抑制杆部の外径を掛杆部の外径よりも小さく形成することによって、側面視で掛杆部の左右両側から垂下するズボンの両端部のうち、より上方に位置する腰側の端部を、側面視略Ｓ字状となるように滑り抑制杆部に掛ける動作を容易に行うことができる。
【発明を実施するための最良の形態】
【０００９】
以下、実施の形態を示す図面に基づき、本発明を詳説する。
図１は、本発明の実施の一形態を示すディスプレイ器具をマネキンに取り付けた状態を示す斜視図である。
本発明に係るディスプレイ器具は、上半身のマネキン30の支脚ポール部31に取り付けられるものであり、靴用ディスプレイ器具15とズボン用ディスプレイ器具16との２種類が存在する。これらのディスプレイ器具は、金属製であり、円形の棒部材及びパイプ部材を各々溶接することによって、構成されている。靴用ディスプレイ器具15及びズボン用ディスプレイ器具16は夫々、上半身のマネキン30の支脚ポール部31に上下スライド固定自在（図１中の矢印Ｋ方向及び矢印Ｃ方向）かつ軸心廻りに揺動固定自在（図１中の矢印Ｌ方向及び矢印Ｆ方向）に外嵌されるボス部１と、ボス部１から突出する支持杆２と、支持杆２の先端に配設されるディスプレイ部３と、を備えている。
【００１０】
ボス部１の外周面には、ボス部１の内面側に中心軸先端部が螺進退可能に突出する固定用つまみ１ａが螺合されている（図２及び図４参照）。固定用つまみ１ａを回転させて、その中心軸先端部により支脚ポール部31の外周面を押圧させることによって、靴用ディスプレイ器具15及びズボン用ディスプレイ器具16が支脚ポール部31に位置固定される。
なお、靴用ディスプレイ器具15及びズボン用ディスプレイ器具16は、支脚ポール部31の下端部に取り付けられた基台32と支脚ポール部31とを一旦分離させてから、支脚ポール部31に取り付けられる。
【００１１】
図２及び図３に示す靴用ディスプレイ器具15に於て、ディスプレイ部３は、短筒部４と、踵部支持杆５と、爪先部支持杆６と、連結杆７と、を有している。
短筒部４は、支持杆２の先端に固着され、その中心軸は、水平方向に延びている。短筒部４の下側には、短筒部４の内面側に中心軸先端部が螺進退可能に突出する固定用つまみ４ａが螺合されている。
【００１２】
ここで、踵部支持杆５は、軸方向にスライド固定自在（図３中矢印Ｉ方向）かつ軸心廻りに揺動固定自在（図２中の矢印Ｊ方向）となるように短筒部４に挿通されている。踵部支持杆５は、固定用つまみ４ａを回転させて、その中心軸先端部により踵部支持杆５の外周面を押圧させることによって位置固定される。
また、爪先部支持杆６は、踵部支持杆５と所定の間隔を隔てて平行に配設されている。爪先部支持杆６の長さは踵部支持杆５の長さと略同一であり、また、爪先部支持杆６の外径は、踵部支持杆５の外径よりも小さく形成されている。
また、踵部支持杆５の長手方向の略中央と爪先部支持杆６の長手方向の略中央とを連結する連結杆７により、踵部支持杆５と爪先部支持杆６は、連結されている。
靴用ディスプレイ器具15には、踵部支持杆５の上に踵部が載置され、爪先部支持杆６の上に爪先部が載置されるように、靴42（43）が載置される。
【００１３】
なお、爪先部支持杆６の長さと踵部支持杆５の長さが等しくなるように形成するものに限るのではなく、踵部支持杆５の長さを爪先部支持杆６の長さと異なるように形成するも自由である。例えば踵部支持杆５の長さを爪先部支持杆６の長さより長く形成するも好ましい。このように形成すれば、踵部支持杆５を短筒部４に対してより軸方向にスライドさせることができるので、より靴展示位置の設定が容易となる。
また、靴用ディスプレイ器具15は、円形の棒部材及びパイプ部材を各々溶接することによって構成されたものに限らず、断面形状が異なる他の部材を用いるも自由である。例えば、爪先部支持杆６の断面形状を、八角形とするも好ましい。このように形成すれば、踵部支持杆５及び爪先部支持杆６の上に載置される靴42（43）が踵部支持杆５及び爪先部支持杆６からより滑り落ちにくくすることができる。
また、踵部支持杆５と爪先部支持杆６とを連結する連結杆７は、一本に限るものではなく、複数本設けることも可能である。
【００１４】
次に、図４に示すズボン用ディスプレイ器具16に於て、ボス部１から突出する支持杆２は、Ｌ字状に形成されると共に先端が上向きとなっている。この支持杆２の先端には、孔部２ｂが形成されている。また、支持杆２の先端部外周面には、支持杆２の孔部２ｂに中心軸先端部が螺進退可能に突出する固定用つまみ２ａが螺合されている。
【００１５】
また、ディスプレイ部３は、垂直杆８と、ズボン掛け部９と、を備えている。
垂直杆８は、上下スライド固定自在（図４中の矢印Ｅ方向）かつ軸心廻りに回転固定自在（図４中の矢印Ｇ方向）となるように支持杆２の先端の孔部２ｂに挿嵌されている。垂直杆８は、固定用つまみ２ａを回転させて、その中心軸先端部により垂直杆８の外周面を押圧させることによって位置固定される。
【００１６】
ここで、ズボン掛け部９は、垂直杆８の先端に固着され、コの字状に形成されている。  具体的には、ズボン掛け部９は、水平方向に延びる滑り抑制杆部10と、滑り抑制杆部10の上方に所定の間隔を隔てて平行に配設される掛杆部11と、を有する。また、滑り抑制杆部10と掛杆部11は、連結部12により連結されている。
滑り抑制杆部10の外径Ｄ2 は掛杆部11の外径Ｄ1 よりも小さく形成されている。例えば、滑り抑制杆部10の外径Ｄ2 は掛杆部11の外径Ｄ1 の 0.3倍以上 0.5倍以下とするのが好ましい。そして、例えば、Ｄ1 は、14mm以上17mm以下とし、Ｄ2 は、５mm以上７mm以下とする。Ｄ2 がＤ1 の 0.3倍よりも小さいと、ズボン41の滑りを抑制する効果が十分に得られない虞れがある。また、Ｄ2 がＤ1 の 0.5倍よりも大きいと、ズボン掛け部９にズボン41を掛けることが煩雑になる。
また、滑り抑制杆部10の上端部と掛杆部11の下端部との距離Ｎは、例えば15mm以上19mm以下とするのが好ましい。Ｎが15mm未満の場合には、ズボン掛け部９にズボン41を掛けることが煩雑になる。また、Ｎが19mmを超えると、ズボン41の滑りを抑制する効果が十分に得られない虞れがある。
【００１７】
また、掛杆部11の左右方向の端部うち、連結部12が連結された側と反対側の端部には、上方に突出する掛止部11ａが形成されている。
掛止部11ａは、ズボン掛け部９にズボン41を掛けた際、掛止部11ａと連結部12とにより、ズボン41の左右方向（図４中の矢印Ｈ方向）の動きを抑制して、ズボン41がズボン掛け部９から容易に落ちないようにするために設けられている。
【００１８】
次に、図５〜図８を参照して、本発明に係るディスプレイ器具の使用の形態について説明する。
図５に於て、上半身のマネキン30には上服を着せ、ズボン用ディスプレイ器具16にはズボン41を掛け、靴用ディスプレイ器具15には靴42（43）を載置している。
靴42（43）は、図６及び図７に示すように、靴用ディスプレイ器具15の踵部支持杆５及び爪先部支持杆６の上に載置される。その際、平底靴42の場合には、踵部支持杆５及び爪先部支持杆６が同一水平面上に位置するように、爪先部支持杆６の揺動角度を調節する。また、ハイヒール靴43の場合には、爪先部支持杆６が踵部支持杆５よりも下方に位置するように、爪先部支持杆６の揺動角度を調節する。これにより、ハイヒール靴43は、爪先部支持杆６に踵部43ａにて掛止される。
【００１９】
なお、図５に於ては、上服40、ズボン41及び靴42（43）が上下方向に直線状に並ばない場合を例示したが、軸心廻りに回転固定自在のボス部１と軸心廻りに回転固定自在である垂直杆８とにより、上服40、ズボン41及び靴42（43）が直線状に並ぶように設定可能である。これにより、上下の衣服及び靴を人が身に付けた時のイメージをより増大させることができる。
【００２０】
また、図５及び図８に示すように、ズボン41は、ズボン41の腰側よりも足首側の方が下方に位置するように、ズボン用ディスプレイ器具16の掛杆部11に掛けられる。この際、側面視で掛杆部11の左右両側から垂下するズボン41の両端部のうち腰側の端部を、掛杆部11と滑り抑制杆部10との間で側面視略Ｓ字状となるように滑り抑制杆部10に掛ける。
【００２１】
なお、本発明の実施の一形態を示すディスプレイ器具では、上半身のマネキン30の支脚ポール部31に靴用ディスプレイ器具15及びズボン用ディスプレイ器具16を取付ける場合を例示したが、これに限らず、下半身のマネキンの支脚ポール部に靴用ディスプレイ器具16を取付けるも好ましい。
【００２２】
以上のように、本発明に係るディスプレイ器具は、マネキン30の支脚ポール部31に上下スライド固定自在に外嵌されるボス部１と、ボス部１から突出する支持杆２と、支持杆２の先端に配設されるディスプレイ部３と、を備えるので、全身のマネキンを使用することなく、上服40、ズボン41及び靴42（43）が上下順に並んでまとまって見えるように、ズボン41及び靴42を展示することができる。これにより、従来の全身のマネキンを使用する場合と比較して、人が身に付けた時のイメージを低減させることなく、ズボン41及び靴42を展示することができる。
【００２３】
また、全身のマネキンのようにズボン41及び靴42（43）の着せ換えを行うことなく、ズボン41及び靴42（43）の取り替えを行うことができる。これにより、ズボン41及び靴42（43）の取り替えを行う際、全身のマネキンのように、下半身の裸体の露出が生じない。これにより、店の営業時間中に、マネキン30のズボン41の取り替えを行っても体裁が悪くならないので、時間帯によって異なる客層に対応して、マネキン30に合わせるズボン41及び靴42（43）を容易に変更することができる。
【００２４】
また、ディスプレイ部３を、支持杆２の先端に固着された水平方向の短筒部４と、軸方向にスライド固定自在かつ軸心廻りに揺動固定自在となるように短筒部４に挿通される踵部支持杆５と、踵部支持杆５と所定の間隔を隔てて平行に配設される爪先部支持杆６と、踵部支持杆５と爪先部支持杆６とを連結する連結杆７と、を有するように構成することによって、踵部支持杆５及び爪先部支持杆６の上に靴42（43）を載置することにより、容易に靴42（43）を展示することができる。これにより、全身のマネキンを使用する場合と比較して、部品コストが低減されるように、靴用のディスプレイ器具15を構成することができる。
また、踵部支持杆５を、短筒部４に対して軸方向にスライド固定自在に構成することによって、上方に配設されるズボン41の下部が靴42（43）にかからないように、容易に靴42（43）の展示位置を変更することができる。
【００２５】
また、踵部支持杆５を、短筒部４に対して軸心廻りに揺動固定自在となるように構成することによって、爪先部支持杆６を踵部支持杆５の軸心廻りに揺動させて、容易に靴の展示角度を変更することができる。
また、平底靴42の場合には、踵部支持杆５及び爪先部支持杆６が同一水平面上に位置するように爪先部支持杆６の揺動角度を調節することによって、平底靴42が踵部支持杆５及び爪先部支持杆６の上から滑り落ちないようにすることができる。また、ハイヒール靴43の場合には、爪先部支持杆６が踵部支持杆５よりも下方に位置するように爪先部支持杆６の揺動角度を調節することによって、ハイヒール靴43の踵部43ａを爪先部支持杆６にて掛止させることができる。これにより、地面に載置したときに安定感に乏しいハイヒール靴43を、安定させて展示することができる。このように、爪先部支持杆６を踵部支持杆５の軸心廻りに揺動させて、種々の靴42（43）の展示を容易に行うことができる。
【００２６】
また、ディスプレイ部３を、上下スライド固定自在かつ軸心廻りに回転固定自在となるように支持杆２の先端の孔部２ｂに挿嵌される垂直杆８と、垂直杆８の先端に固着されたコの字状のズボン掛け部９と、を備えるように構成し、さらに、ズボン掛け部９を、水平方向に延びる滑り抑制杆部10と、滑り抑制杆部10の上方に所定の間隔を隔てて平行に配設される掛杆部11と、を有するように構成することによって、掛杆部11にズボン41を掛けることにより、容易にズボン41を展示することができる。これにより、全身のマネキンを使用する場合と比較して、部品コストが低減されるように、ズボン用のディスプレイ器具16を構成することができる。
【００２７】
また、ズボン掛け部９を、水平方向に延びる滑り抑制杆部10と、滑り抑制杆部10の上方に所定の間隔を隔てて平行に配設される掛杆部11と、を有するように構成することによって、側面視で掛杆部11の左右両側から垂下するズボン41の両端部のうち腰側の端部を、掛杆部11と滑り抑制杆部10との間で側面視略Ｓ字状となるように滑り抑制杆部10に掛けることができる。これにより、滑り抑制杆部10の位置に於て、側面視で掛杆部11の左右両側から垂下するズボン41の対向する面を接触させることができる。これにより、側面視で掛杆部11の左右両側から垂下するズボン41の両端部のうち、より大きな重力が加わる足首側の端部から下方（図８中の矢印Ｍ方向）にズボン41が滑り落ちそうになったとしても、接触面に生じる摩擦力（図８中の矢印Ｐ）にてズボン41がズボン掛け部９から滑り落ちるのを抑制することができる。
【００２８】
また、滑り抑制杆部10の外径Ｄ2 を掛杆部11の外径Ｄ1 よりも小さく形成することによって、ズボン41をズボン掛け部９に掛ける際、側面視で掛杆部11の左右両側から垂下するズボン41の両端部のうち、より上方に位置する腰側の端部を、側面視略Ｓ字状となるように滑り抑制杆部10に掛ける動作を容易に行うことができる。
【図面の簡単な説明】
【００２９】
【図１】本発明の一実施形態を示すディスプレイ器具をマネキンに取り付けた斜視図である。
【図２】本発明の一実施形態を示すディスプレイ器具の側面図である。
【図３】平面図である。
【図４】別のディスプレイ器具の側面図である。
【図５】ディスプレイ器具の使用状態を示す斜視図である。
【図６】靴用のディスプレイ器具を平底靴に適用した場合を示す側面図である。
【図７】靴用のディスプレイ器具をハイヒール靴に適用した場合を示す側面図である。
【図８】図４のＯ−Ｏ線拡大断面側面図である。
【符号の説明】
【００３０】
１  ボス部
２  支持杆
２ｂ  孔部
３  ディスプレイ部
４  短筒部
５  踵部支持杆
６  爪先部支持杆
７  連結杆
８  垂直杆
９  ズボン掛け部
10  滑り抑制杆部
11  掛杆部
30  マネキン
31  支脚ポール部
Ｄ1   外径
Ｄ2   外径
【図１】
2005296061.tif 000003
【図２】
2005296061.tif 000004
【図３】
2005296061.tif 000005
【図４】
2005296061.tif 000006
【図５】
2005296061.tif 000007
【図６】
2005296061.tif 000008
【図７】
2005296061.tif 000009
【図８】
2005296061.tif 000010